(57)【特許請求の範囲】
【請求項１】
１以上の駐車場の各々に設置される駐車場装置と、
前記１以上の駐車場の各々について、所定のサービスを提供する施設との間で割引サービスの提携が可能であるか否かの情報を少なくとも含む駐車場情報を記憶する記憶部と、
前記施設のオーナが前記割引サービスの提携が可能である旨の前記駐車場情報が記憶された駐車場である提携可能駐車場を見つけて提携の申込みを入力することが可能なＷｅｂページの情報を、前記施設のオーナが利用可能な他の端末に送信する送信部と
を有し、前記駐車場装置に通信可能に接続される管理装置と
を具備し、
前記管理装置の送信部は、前記施設のオーナにより前記Ｗｅｂページを介して入力された前記割引サービスの提携の申込みの対象となる前記提携可能駐車場のオーナが、前記割引サービスの提携の申込みを承認するか否かを選択することが可能な承認用Ｗｅｂページの情報を、前記提携可能駐車場のオーナが利用可能なオーナ端末に送信する
駐車サービスシステム。
【請求項２】
請求項１に記載の駐車サービスシステムであって、
前記Ｗｅｂページは、前記割引サービスの条件を含む申込み内容を入力することが可能な内容入力画面を含み、
前記承認用Ｗｅｂページは、前記内容入力画面を介して入力された前記申込み内容を含む
駐車サービスシステム。
【請求項３】
請求項１又は２に記載の駐車サービスシステムであって、
前記Ｗｅｂページは、前記提携可能駐車場を選択するための選択画面を含む
駐車サービスシステム。
【請求項４】
請求項３に記載の駐車サービスシステムであって、
前記選択画面は、前記提携可能駐車場が表示された地図を含む
駐車サービスシステム。
【請求項５】
請求項４に記載の駐車サービスシステムであって、
前記地図には、前記施設の周辺にある複数の駐車場が、前記提携可能駐車場か否かを識別可能なように表示される
駐車サービスシステム。
【請求項６】
請求項１から５のうちいずれか１項に記載の駐車サービスシステムであって、さらに、
前記施設に設置され、前記他の端末による前記割引サービスの提携の申込みにより提携先となった駐車場の駐車券を受け付け、当該駐車券に前記所定のサービスの利用に応じた割引情報を記録する駐車券受付装置を具備する
駐車サービスシステム。
【請求項７】
請求項６に記載の駐車サービスシステムであって、
前記管理装置の前記記憶部は、前記他の端末による前記提携の申込みにより前記割引サービスの提携が決定した場合に、前記提携先となった駐車場を識別する第１の識別情報と、前記施設に設置される前記駐車券受付装置を識別する第２の識別情報とを互いに関連付けて記憶する
駐車サービスシステム。
【請求項８】
請求項７に記載の駐車サービスシステムであって、
前記駐車券受付装置は、前記管理装置と通信可能に接続され、
前記管理装置の送信部は、前記第２の識別情報と関連付けられた前記第１の識別情報を、前記施設に設置された前記駐車券受付装置に送信し、
前記駐車券受付装置は、前記送信された第１の識別情報を記憶し、当該第１の識別情報をもとに、前記受け付けた駐車券が前記提携先となった駐車場の駐車券か否か判定する
駐車サービスシステム。
【請求項９】
請求項７又は８に記載の駐車サービスシステムであって、
前記管理装置の送信部は、前記第１の識別情報と関連付けられた前記第２の識別情報を、前記提携先となった駐車場の前記駐車場装置に送信し、
前記駐車券受付装置は、前記受け付けた駐車券に前記第２の識別情報を記録し、
前記提携先となった駐車場の前記駐車場装置は、前記送信された第２の識別情報を記憶し、当該第２の識別情報をもとに、駐車場の利用者から提示された駐車券に記録された前記割引情報が、提携先となった施設にて記録された割引情報であるか否か判定する
駐車サービスシステム。
【請求項１０】
請求項７から９のうちいずれか１項に記載の駐車サービスシステムであって、
前記駐車券受付装置は、前記第２の識別情報を前記管理装置に送信し、
前記管理装置の前記記憶部は、前記送信された第２の識別情報を、前記提携先となった駐車場を識別する第１の識別情報と関連付けて記憶する
駐車サービスシステム。
【請求項１１】
請求項１０に記載の駐車サービスシステムであって、
前記第２の識別情報は、前記駐車券受付装置に視認可能に付される
駐車サービスシステム。
【請求項１２】
請求項１０又は１１に記載の駐車サービスシステムであって、
前記第２の識別情報は、前記駐車券受付装置に視認可能に付されたコード画像に記憶される
駐車サービスシステム。
【請求項１３】
請求項６から１２のうちいずれか１項に記載の駐車サービスシステムであって、
前記駐車券受付装置は、前記Ｗｅｂページが表示される表示部を有し前記管理装置と通信可能な通信端末と、前記通信端末に接続され前記駐車券を受け付けて前記割引情報を記録する割引記録端末とを有する
駐車サービスシステム。
【請求項１４】
請求項１３に記載の駐車サービスシステムであって、
前記通信端末は、前記通信端末への前記割引記録端末の接続に応じて、前記表示部に前記Ｗｅｂページを表示する
駐車サービスシステム。
【請求項１５】
請求項１３又は１４に記載の駐車サービスシステムであって、
前記管理装置は、前記他の端末により入力された前記割引記録端末の取得代金の決済方法を、前記割引サービスに係る負担額の決済方法に設定する
駐車サービスシステム。
【請求項１６】
請求項１に記載の駐車サービスシステムであって、さらに、
前記施設に設置され、前記他の端末による前記割引サービスの提携の申込みにより提携先となった駐車場の駐車券を受け付け、当該駐車券に記録された前記提携先となった駐車場を識別する識別情報と、前記受け付けた駐車券を識別する識別情報と、前記所定のサービスの利用に応じた割引情報とを、前記管理装置に送信する駐車券受付装置を具備する
駐車サービスシステム。
【請求項１７】
１以上の駐車場の各々について、所定のサービスを提供する施設との間で割引サービスの提携が可能であるか否かの情報を少なくとも含む駐車場情報を記憶する記憶部と、
前記施設のオーナが前記割引サービスの提携が可能である旨の前記駐車場情報が記憶された駐車場である提携可能駐車場を見つけて提携の申込みを入力することが可能なＷｅｂページの情報を、前記施設のオーナが利用可能な他の端末に送信する送信部と
を具備し、
前記送信部は、前記施設のオーナにより前記Ｗｅｂページを介して入力された前記割引サービスの提携の申込みの対象となる前記提携可能駐車場のオーナが、前記割引サービスの提携の申込みを承認するか否かを選択することが可能な承認用Ｗｅｂページの情報を、前記提携可能駐車場のオーナが利用可能なオーナ端末に送信する
情報処理装置。
【発明の詳細な説明】
【技術分野】
【０００１】
本発明は、例えば店舗等の利用者に駐車場の利用料金の割引サービスを提供することが可能となる駐車サービスシステム、及び情報処理装置に関する。
【背景技術】
【０００２】
従来、店舗等の利用者に対して、駐車場の利用料金の割引サービスを提供するシステムが知られている。例えば特許文献１に記載の駐車サービスシステムでは、各駐車場に設置された駐車券発行機からホストコンピュータに、顧客情報及び駐車場の入車時刻が送信される。また各店舗に設置された店舗エンコードからホストコンピュータに、お買上げ金額等の情報が送信される。駐車場から車両が出車される際には、ホストコンピュータにより、お買い上げ金額に基づいたトータル駐車サービス時間が算出される。また料金精算機から送信された出車時刻をもとに、駐車実時間が算出される。これらトータル駐車サービス時間と駐車実時間とをもとに精算金額が決定され、ホストコンピュータから料金精算機に送信される（特許文献１の明細書段落［００２９］−［００４３］等）。
【先行技術文献】
【特許文献】
【０００３】
【特許文献１】特開２００２−１１７４２４号公報
【発明の概要】
【発明が解決しようとする課題】
【０００４】
店舗の利用者に駐車料金の割引サービスを提供することは、顧客を増やし売上を伸ばすために非常に重要である。従って店舗のオーナの要望に応じて、利用者への駐車料金の割引サービスの提供が容易に実現可能となる有用な技術が求められている。
【０００５】
以上のような事情に鑑み、本発明の目的は、駐車料金の割引サービスの提供を容易に実現可能とする駐車サービスシステム、及び情報処理装置を提供することにある。
【課題を解決するための手段】
【０００６】
上記目的を達成するため、本発明の一形態に係る駐車サービスシステムは、駐車場装置と、管理装置とを具備する。
前記駐車場装置は、１以上の駐車場の各々に設置される。
前記管理装置は、記憶部と、送信部とを有し、前記駐車場装置に通信可能に接続される。
前記記憶部は、前記１以上の駐車場の各々について、少なくとも割引サービスの提携が可能であるか否かの情報を含む駐車場情報を記憶する。
前記送信部は、前記割引サービスの提携が可能である旨の前記駐車場情報が記憶された駐車場への提携の申込みを入力するためのＷｅｂページの情報を、他の端末に送信する。
【０００７】
前記駐車サービスシステムは、さらに、駐車券受付装置を具備してもよい。
前記駐車券受付装置は、所定のサービスを提供する施設に設置され、前記他の端末による前記割引サービスの提携の申込みにより提携先となった駐車場の駐車券を受け付け、当該駐車券に前記所定のサービスの利用に応じた割引情報を記録する。
【０００８】
前記管理装置の前記記憶部は、前記他の端末による前記提携の申込みにより前記割引サービスの提携が決定した場合に、前記提携先となった駐車場を識別する第１の識別情報と、前記施設に設置される前記駐車券受付装置を識別する第２の識別情報とを互いに関連付けて記憶してもよい。
【０００９】
前記駐車券受付装置は、前記管理装置と通信可能に接続されてもよい。この場合、前記管理装置の送信部は、前記第２の識別情報と関連付けられた前記第１の識別情報を、前記施設に設置された前記駐車券受付装置に送信してもよい。また前記駐車券受付装置は、前記送信された第１の識別情報を記憶し、当該第１の識別情報をもとに、前記受け付けた駐車券が前記提携先となった駐車場の駐車券か否か判定してもよい。
【００１０】
前記管理装置の送信部は、前記第１の識別情報と関連付けられた前記第２の識別情報を、前記提携先となった駐車場の前記駐車場装置に送信してもよい。この場合、前記駐車券受付装置は、前記受け付けた駐車券に前記第２の識別情報を記録してもよい。また前記提携先となった駐車場の前記駐車場装置は、前記送信された第２の識別情報を記憶し、当該第２の識別情報をもとに、駐車場の利用者から提示された駐車券に記録された前記割引情報が、提携先となった施設にて記録された割引情報であるか否か判定してもよい。
【００１１】
前記駐車券受付装置は、前記第２の識別情報を前記管理装置に送信してもよい。この場合、前記管理装置の前記記憶部は、前記送信された第２の識別情報を、前記提携先となった駐車場を識別する第１の識別情報と関連付けて記憶してもよい。
【００１２】
前記第２の識別情報は、前記駐車券受付装置に視認可能に付されてもよい。
【００１３】
前記第２の識別情報は、前記駐車券受付装置に視認可能に付されたコード画像に記憶されてもよい。
【００１４】
前記駐車券受付装置は、前記Ｗｅｂページが表示される表示部を有し前記管理装置と通信可能な通信端末と、前記通信端末に接続され前記駐車券を受け付けて前記割引情報を記録する割引記録端末とを有してもよい。
【００１５】
前記通信端末は、前記通信端末への前記割引記録端末の接続に応じて、前記表示部に前記Ｗｅｂページを表示してもよい。
【００１６】
前記Ｗｅｂページは、前記割引サービスの提携が可能である旨の前記駐車場情報が記憶された駐車場である提携可能駐車場を選択するための選択画面を含んでもよい。
【００１７】
前記選択画面は、前記提携可能駐車場が表示された地図を含んでもよい。
【００１８】
前記管理装置は、前記他の端末により入力された前記割引記録機の取得代金の決済方法を、前記割引サービスに係る負担額の決済方法に設定してもよい。
【００１９】
前記駐車サービスシステムは、さらに、駐車券受付装置を具備してもよい。
前記駐車券受付装置は、所定のサービスを提供する施設に設置され、前記他の端末による前記割引サービスの提携の申込みにより提携先となった駐車場の駐車券を受け付け、当該駐車券に記録された前記提携先となった駐車場を識別する第１の識別情報と、前記受け付けた駐車券を識別する第３の識別情報と、前記所定のサービスの利用に応じた割引情報とを、前記管理装置に送信する。
【００２０】
本発明の一形態に係る情報処理装置は、前記記憶部と、前記送信部とを具備する。
【００２１】
本発明の他の形態に係る情報処理装置は、所定のサービスを提供する施設に設置される情報処理装置であって、接続部と、記憶部と、受付部と、記録部とを具備する。
前記接続部は、割引サービスの提携が可能である駐車場の情報を記憶する管理装置に通信可能に接続される。
前記記憶部は、前記管理装置により送信された、前記管理装置への前記割引サービスの提携の申込みにより提携先となった駐車場を識別する第１の識別情報を記憶する。
前記受付部は、前記割引サービスの提携先となった駐車場の駐車券を受け付ける。
前記記録部は、前記受け付けた駐車券に、前記所定のサービスの利用に応じた割引情報と、前記情報処理装置を識別する第２の識別情報とを記録する。
【００２２】
本発明の他の形態に係る情報処理装置は、所定のサービスを提供する施設に設置される情報処理装置であって、前記接続部と、前記記憶部と、前記受付部と、送信部とを具備する。
前記送信部は、前記受け付けた駐車券に記録された前記第１の識別情報と、前記受け付けた駐車券を識別する識別情報と、前記所定のサービスの利用に応じた割引情報とを、前記管理装置に送信する。
【発明の効果】
【００２３】
以上のように、本発明によれば、駐車料金の割引サービスの提供が容易に実現可能となる。
【図面の簡単な説明】
【００２４】
【図１】第１の実施形態に係る駐車サービスシステムの構成例を示す概略図である。
【図２】駐車券発行機、出口精算機、及び通信管理装置の機能的な構成例を示すブロック図である。
【図３】店舗端末及び割引書込機の機能的な構成例を示すブロック図である。
【図４】割引書込機の外観の構成例を示す斜視図である。
【図５】割引サービスの申込みが行われる際のシステム全体のフロー図である。
【図６】店舗端末の表示部に表示される提携申込み用のＷｅｂページの一例である。
【図７】申込み用Ｗｅｂページに含まれる内容入力画面の一例である。
【図８】オーナ端末に表示される申込み確認画面の一例である。
【図９】駐車券発行機から発行される駐車券に記録される情報の一例である。
【図１０】店舗にて駐車券に割引情報が記録される動作例を示すフローチャートである。
【図１１】駐車券に記録される割引情報の一例である。
【図１２】駐車場から車両を出庫する際の動作例を示すフローチャートである。
【図１３】第３の実施形態に係る駐車サービスシステムの構成例を示す概略図である。
【図１４】事前精算が行われた後の駐車券に記録される情報の一例である。
【発明を実施するための形態】
【００２５】
以下、本発明に係る実施形態を、図面を参照しながら説明する。
【００２６】
＜第１の実施形態＞
［駐車サービスシステム］
図１は、本発明の第１の実施形態に係る駐車サービスシステムの構成例を示す概略図である。駐車サービスシステム５００は、オーナ端末１０と、管理会社端末１５と、駐車券受付装置２０と、駐車場装置３０と、駐車場管理装置４０とを有する。これらの端末及び装置は、インターネット１及び広域通信回線網５を介して相互に通信可能に接続されている。
【００２７】
オーナ端末１０は、駐車場３１を所有するオーナにより使用される。図１では、２つのオーナ端末１０と、駐車場ナンバー０１から０４までの４つの駐車場３１が図示されているが、この構成に限定される訳でない。オーナの数（オーナ端末１０の数）及び各オーナが所有する駐車場３１の数を限定することなく、本発明は適用可能である。
【００２８】
本開示では、駐車場のオーナを単にオーナと記載し、店舗のオーナを店舗オーナと記載する。
【００２９】
管理会社端末１５は、オーナから駐車場３１の管理業務を委託された管理会社のオペレータにより使用される。オペレータにより、例えば日常の問合せ対応、ユーザ対応、駐車場装置３０等の故障時の保守メンテ作業の情報提供等が行われる。
【００３０】
駐車場装置３０は、各駐車場３１に設置され、駐車場３１を利用するドライバへの駐車券の発行や駐車料金の精算等を実行する。駐車場装置３０の前面には、例えば駐車券の発行口や挿入口、紙幣・硬貨投入口、表示部、領収証ボタン、釣り銭や領収証の取出口等が設けられる。本実施形態では、駐車場装置３０として、駐車券発行機５０及び出口精算機７０が設置される（図２参照）。
【００３１】
駐車券受付装置２０は、各店舗に設置され、ネットワーク通信可能な店舗端末１００と、これに接続された割引書込機１１０とを有する。本実施形態では、店舗端末１００は、他の端末及び通信端末として機能する。また割引書込機１１０は、割引記録端末として機能する。
【００３２】
図１に示す例では、オーナ端末１０及び店舗端末１００として、ノートＰＣ（Personal Computer）が用いられ、管理会社端末１５としてデスクトップＰＣが用いられている。これに限定されず、各端末として、スマートフォンやタブレット端末等の任意のコンピュータが用いられてよい。
【００３３】
店舗は、本実施形態において、所定のサービスを提供する施設に相当する。所定のサービスは限定されず、種々の業種に係る任意のサービスが挙げられる。例えば店舗として、スーパーマーケット、服飾店、雑貨屋、飲食店等の任意の店舗が挙げられる。また病院、ホテル、その他公共の施設等に、本発明が適用されてもよい。
【００３４】
駐車場管理装置４０は、本実施形態に係る駐車サービスを、Ｗｅｂサービスとして提供可能である。本実施形態では、複数のサーバ装置４１と、データベース（ＤＢ）４２とにより駐車場管理装置４０が構成される。
【００３５】
各サーバ装置４１は、ＣＰＵ（Central Processing Unit）、ＲＯＭ（Read Only Memory）、ＲＡＭ（Random Access Memory）、ＨＤＤ（Hard Disk Drive）等のコンピュータの構成に必要なハードウェアを有する。ＣＰＵが所定のプログラムを実行し、サーバ装置４１内のハードウェア資源と協働することで、本実施形態に係る送信部が実現される。プログラムは、例えば種々の記録媒体を介して、あるいはインターネット等を介してサーバ装置４１にインストールされる。
【００３６】
ＤＢ４２は、記憶部として機能し、駐車サービスに関する種々の情報を記憶する。本実施形態では、ＤＢ４２内に、在車ＤＢ４３、駐車場情報ＤＢ４４、履歴ＤＢ４５、オーナ情報ＤＢ４６、及び店舗情報ＤＢ４７が構築される（図５参照）。
【００３７】
各種のＤＢは、駐車場管理装置４０内のＤＢサーバにより包括的に管理され、例えば各駐車場３１のオーナ情報の登録及び保管、運営収支情報の記録及び保管等が実行される。また各駐車場３１の満空車情報の収集及び出力、駐車場装置３０のエラー履歴や釣銭管理状況の収集及び記録、管理会社端末１５からの遠隔操作の仲介等が実行される。
【００３８】
また本実施形態では、駐車サービスシステム５００が提供可能なサービスである、駐車場料金の割引サービスの提携の申込みに関する種々の情報が記憶される。例えば駐車場情報ＤＢ４４には、各駐車場について、少なくとも割引サービスの提携が可能であるか否かの情報を含む駐車場情報が記憶される。また割引サービスの提携後は、提携を結んだ駐車場３１及び店舗の情報等も記憶される。
【００３９】
また駐車場管理装置４０内のＷｅｂサーバにより、例えばＷＷＷ（World Wide Web）システムを用いて、本実施形態に係る駐車サービスが提供される。Ｗｅｂサーバにより、駐車場、オーナ、及び店舗毎のＷｅｂページがそれぞれ作成される。管理会社のオペレータ、オーナ、及び店舗オーナ等は、自身の端末を用いて、Ｗｅｂブラウザを介して表示されたＷｅｂページにアクセスする。この結果、例えばオーナ毎の運営収支情報やそれらを分析したデータ、駐車場３１毎の満空データ、割引サービスに係る負担額のデータ等を取得することが可能となる。
【００４０】
割引サービスに係る負担額とは、店舗オーナが提携先の駐車場３１のオーナに支払うべき金額であり、店舗を利用する利用者に対して実際に割引された駐車場料金の金額である。割引額は、店舗が提供するサービスの利用に応じて、典型的には購入した商品等の合計金額に応じて決定される。もちろんこれに限定される訳ではない。
【００４１】
なお駐車場３１を所有するオーナ自身で、駐車場３１の管理業務を行う場合もある。この場合、オーナ端末１０と管理会社端末１５とが兼用で使用され得る。また管理業務を委託された管理会社が駐車場管理装置４０を保有し、本実施形態に係る駐車サービスを提供することもあり得る。
【００４２】
図２は、駐車場３１に設置される、駐車券発行機、出口精算機、及び通信管理装置の機能的な構成例を示すブロック図である。
【００４３】
駐車券発行機５０は、駐車場３１の入口ゲート３３に隣接して設置される。駐車券発行機５０は、ＣＰＵ５１と、メモリ５２と、これらとバス５３を介して接続されるインターフェイス５４とを有する。メモリ５２は、例えばＲＯＭ、ＲＡＭ、フラッシュメモリ等から構成され、種々のプログラムや種々の駐車データ等が記憶される。
【００４４】
インターフェイス５４には、カードリーダライタ５５、カードフィーダ５６、表示器／スピーカ５７、操作釦５８、ゲート開閉機制御部５９、及び通信制御部６０が接続される。各ブロックの動作は、プログラムに従って動作するＣＰＵ５１により制御され、例えば表示器／スピーカ５７による表示画面及び音声ガイドに基づいて、ドライバは円滑に操作を行うことが可能である。例えば音声ガイド等に従ってドライバにより操作釦５８が押される。これに応じて、ガードフィーダ５６が動作し、発行口から駐車券が発行される。
【００４５】
カードリーダライタ５５は、ドライバに供給される駐車券の磁気ストライプに所定の情報を書き込み、また駐車券の表面に所定の情報を印字する。ゲート開閉機制御部５９は、入口ゲート３３を開閉するゲート開閉機を制御する。通信制御部６０は、出口精算機７０と通信を行うための通信回路を備え、駐車場３１に埋設された内部通信ラインを介して、出口精算機７０の通信制御部８１と通信可能に接続される。
【００４６】
出口精算機７０は、駐車場３１の出口ゲート３４に隣接して設置される。出口精算機７０は、バス７３を介して互いに接続されるＣＰＵ７１、メモリ７２、及びインターフェイス７４を有する。インターフェイス７４には、カードリーダライタ７５、紙幣・硬貨管理部７６、表示器／スピーカ７７、領収証プリンタ７８、操作釦７９、ゲート開閉機制御部８０、及び通信制御部８１が接続される。
【００４７】
カードリーダライタ７５は、挿入口に挿入された駐車券から駐車券情報を読み込み、駐車時間及び割引情報をもとに、精算金額を算出する。紙幣・硬貨管理部７５は、紙幣・硬貨投入口に投入された紙幣等を受け取り、投入金額を算出する。また精算により必要となった釣り銭等を準備し、紙幣・硬貨返却口に供給する。領収証プリンタ７８は、領収証に精算額や日時等をプリントする。
【００４８】
通信制御部８１は、通信管理装置８５と通信を行うための通信回路を備え、通信管理装置８５の外部通信部９３にシリアル通信用の配線を介して通信可能に接続される。また通信制御部８１は、駐車券発行機５０の通信制御部６０と通信可能に接続される。
【００４９】
通信管理装置８５は、出口精算機７０の上部又は前面部に取り付けられ、広域通信回線網５及びインターネット１を介して駐車場管理装置４０に通信可能に接続される。通信管理装置８５は、バス８８を介して互いに接続されるＣＰＵ８６、メモリ８７、及びインターフェイス８９有する。インターフェイス８９には、カメラ９０、インターフォン９１、データ端末装置（ＤＣＥ：Data Circuit Terminating Equipment）９２、及び外部通信部９３が接続される。
【００５０】
カメラ９０及びインターフォン９１は、出口精算機７０を操作するドライバと、管理会社端末１５を使用するオペレータとの通話を可能にする。データ端末装置９２は、出口精算機７０等から送信される信号を広域通信回線用の信号に変換する装置であり、例えばモデムやターミナルアダプタ等が用いられる。外部通信部９３は、出口精算機７０の通信制御部８１と通信可能に接続される。
【００５１】
本実施形態では、駐車券発行機５０及び出口精算機７０により取得された情報は、通信管理装置８５を介して、駐車場管理装置４０に送信される。例えば車両の入庫及び出庫、駐車料金の収支、割引結果、故障履歴、定期券の更新に関する情報データ等が駐車場管理装置４０に送信される。
【００５２】
また駐車場管理装置４０からの種々の指示等が、通信管理装置８５を介して、駐車券発行機５０及び出口精算機７０に送信される。例えば管理会社のオペレータが遠隔操作を行う場合には、管理会社端末１５の操作により、駐車場管理装置４０から通信管理装置８５に遠隔操作信号が送信される。そして通信管理装置８５から駐車券発行機５０及び出口精算機７０に遠隔操作信号が送信され、遠隔操作が実行される。
【００５３】
図３は、店舗に設置される、店舗端末１００及び割引書込機１１０の機能的な構成例を示すブロック図である。図４は、割引書込機１１０の外観の構成例を示す斜視図である。
【００５４】
店舗端末１００は、バス１０３を介して互いに接続されるＣＰＵ１０１、メモリ１０２、及びインターフェイス１０４を有する。インターフェイス１０４には、表示部１０５、スピーカ１０６、入力部１０７、ネットワーク制御部１０８、及び外部通信部１０９が接続される。
【００５５】
表示部１０５は、例えば液晶、ＥＬ（Electro-Luminescence）等を用いた表示デバイスである。入力部１０７は、例えばコントローラ、ポインティングデバイス、キーボード、タッチパネル、その他の操作装置である。入力部１０７がタッチパネルを含む場合、そのタッチパネルは表示部１０５と一体となり得る。
【００５６】
ネットワーク制御部１０８は、インターネット１を介して他のデバイスと通信するためのモデム、ルータ、その他の通信機器である。ネットワーク制御部１０８は、有線及び無線のどちらを利用して通信するものであってもよい。外部通信部１０９は、割引書込機１１０の通信制御部１１８と通信可能に接続される。
【００５７】
割引書込機１１０は、バス１１３を介して互いに接続されるＣＰＵ１１１、メモリ１１２、及びインターフェイス１１４を有する。インターフェイス１１４には、カードリーダライタ１１５、表示器／スピーカ１１６、操作釦１１７、及び通信制御部１１８が接続される。
【００５８】
また図４に示すように、割引書込機１１０の前面には、駐車券を受け付ける挿入口１２０、電源の入力の有無を示す電源ランプ１２１、及び正常状態／エラー状態を示す状態表示ランプ１２２が設けられる。電源ランプ１２１及び状態表示ランプ１２２は、表示器／スピーカ１１６に含まれる。
【００５９】
割引書込機１１０の上面には、割引ボタン１２３が設置される。本実施形態では、全額の割引ボタン１２３ａ、５００円の割引ボタン１２３ｂ、及び１０００円の割引ボタン１２３ｃの３つが設置されるがこれに限定されない。これらの割引ボタン１２３は、操作釦１１７に含まれる。
【００６０】
割引書込機１１０の側面には、割引書込機１１０を識別するためのユニークなＩＤ情報（以下、割引機ＩＤと記載する）として、シリアルナンバーが記載される。シリアルナンバー以外の情報が、割引機ＩＤとして記載されてもよい。シリアルナンバーの上方には、割引機ＩＤが記憶されたコード画像１２４が付される。コード画像１２４は、二次元コードとも呼ばれ、例えばＱＲコード（登録商標）等が用いられる。
【００６１】
割引機ＩＤは、本実施形態において、駐車券受付装置２０を識別する第２の識別情報に相当する。本実施形態では、店舗端末１００と割引書込機１１０とにより駐車券受付装置２０が構成されており、割引書込機１１０を識別する識別情報である割引機ＩＤが、第２の識別情報に相当する。
【００６２】
カードリーダライタ１１５は、挿入口１２０に挿入された駐車券の磁気ストライプに、サービスの利用に応じた割引情報を記録する。その内容が駐車券の表面に印字されてもよい。通信制御部１１８は、店舗端末１００の外部通信部１０９にシリアル通信用の配線を介して通信可能に接続される。シリアル通信用の配線として、例えばＵＳＢ（Universal Serial Bus）ケーブル等が用いられる。
【００６３】
［割引サービスの提携の申込み］
図５は、割引サービスの申込みが行われる際のシステム全体のフロー図である。まず駐車場料金の割引サービスの提携を所望する店舗オーナにより、図４に示す割引書込機１１０の購入の申し込みが行われる（ステップ１０１）。割引書込機１１０は、典型的には、本駐車サービスを提供する企業等、すなわち駐車場管理装置４０を所有する企業等により、販売される。これに代えて駐車場のオーナにより、割引書込機１１０が販売されてもよい。
【００６４】
例えば駐車場管理装置４０内のＷｅｂサーバにより、割引書込機１１０の販売サイトが作成される。店舗オーナは、例えば検索エンジン等を用いて当該販売サイトを検索しアクセスする。あるいは販売サイトのＵＲＬの広告が、近隣の駐車場の看板等やインターネット１上に公開されてもよい。
【００６５】
店舗オーナは、店舗端末１００を用いて、店舗名、住所、代表者氏名、電話番号、メールアドレス、及び購入代金の決済方法等を入力して申し込む。本実施形態では、決済方法として、信販会社等の決済機関９５に対するクレジットカード決済が選択されるとする。もちろんこれに限定されず、電子マネー決済や銀行振り込み等の決済方法が利用されてもよい。
【００６６】
なお割引書込機１１０はリース販売されてもよい。すなわち店舗オーナに対して割引書込機が貸し出されてもよい。本開示では、購入及び賃貸のいずれの形態も取得に含まれ、購入代金及び賃貸代金のいずれも取得代金に相当する。
【００６７】
店舗オーナは、決算機関９５に対して、割引書込機１１０の購入代金の支払い処理を実行する（ステップ１０２）。駐車場管理装置４０は、決済機関９５に対して決済の確認を照会し、購入代金の入金の有無を確かめる（ステップ１０３）。決済機関９５から決済の確認を受領すると（ステップ１０４）、割引書込機１１０が店舗に送付される。
【００６８】
割引書込機１１０を取得した店舗オーナにより、割引サービスの提携の申込みが行われる（ステップ１０５）。本実施形態では、割引書込機１１０を店舗端末１００に接続すると、それに応じて自動的に店舗端末１００が提携申込み用のＷｅｂサイトに接続される。そして店舗端末１００の表示部１０５に、提携の申込みを入力するためのＷｅｂページが表示される。このＷｅｂページは、駐車場管理装置４０のＷｅｂサーバが作成して送信したものである。
【００６９】
図６は、店舗端末１００の表示部１０５に表示される提携申込み用のＷｅｂページの一例である。申込み用Ｗｅｂページ１３０は、駐車場情報ＤＢ４４に割引サービスの提携が可能である旨の駐車場情報が記憶された駐車場（提携可能駐車場）を選択するための選択画面１３１を含む。典型的には、選択画面１３１は最初に自動的に表示されるが、駐車場選択ボタン１３２が選択されることで表示されてもよい。
【００７０】
図６に示すように選択画面１３１には、店舗端末１００が設置された店舗Ｓの周辺の地図が表示される。当該地図には、店舗Ｓの周辺にある複数の駐車場Ｐが表示される。これら複数の駐車場Ｐは、駐車場情報ＤＢ４４に駐車場情報が記憶された駐車場である。複数の駐車場Ｐは、割引サービスの提携が可能である駐車場が識別可能なように表示される。図６に示す例では、提携が可能ではない駐車場が網掛けで表示されている。
【００７１】
店舗オーナにより、網掛けがない駐車場Ｐが選択されると、選択画面１３１上に駐車場データＤが表示される（三丁目駐車場（No.008）参照）。その状態で、申込み用Ｗｅｂページ１３０の左端にある提携申請ボタン１３３が選択されると、内容入力画面１３５（図７参照）が表示される。
【００７２】
なお地図を含む選択画面１３１を生成する方法は、限定されない。例えばＤＢ４２に地図情報が記憶されており、割引書込機１１０の申込み時に入力した店舗の住所をもとに地図データが構築される。当該地図データ上に、店舗Ｓ及び周辺の駐車場Ｐが重ねて表示される。店舗Ｓ及び駐車場Ｐは、所定のアイコンで表示されてもよいし、該当する位置に矢印やマーク等が表示されてもよい。その他、周知の技術が適宜用いられてよい。
【００７３】
選択画面１３１として周辺の地図が表示されることで、店舗オーナは周辺の駐車場を調査することなく、容易に周辺の駐車場Ｐを確認することができ、その位置関係を直感的に把握することができる。なお選択画面として、地図に代えて、提携可能な駐車場のリストが表示されてもよい。
【００７４】
図７は、申込み用Ｗｅｂページ１３０に含まれる内容入力画面１３５の一例である。内容入力画面１３５には、店舗オーナが選択した駐車場名が表示される。また申請内容として、店舗名、割引種別（金額又は時間）、最大割引額、割引機ＩＤ、提携開始日、提携更新期限、代表者氏名、決済方法、及び決済日が入力される。これらの情報のうち、割引書込機１１０の申込み時に入力した情報は、ＤＢ４２から読み出されて自動的に入力される。
【００７５】
特に決済方法及び決済日について、割引書込機１１０の取得代金の決済方法が、割引サービスに係る負担額の決済方法として、そのままデフォルト設定されるとよい。これにより割引書込機１１０の購入から、割引料金の負担額の決済までを、自動的に登録することが可能となる。この結果、店舗オーナの操作負担を大幅に軽減することができる。
【００７６】
割引機ＩＤの入力については、図４に示すように、割引書込機１１０の側面に記載されたシリアルナンバーを目視しながら、簡単に入力することができる。あるいは店舗端末１００がカメラ機能等を有し、コード画像１２４から情報を抽出する機能を有しているとする。この場合には、その解析機能を用いて（例えばアプリケーション等を起動させて）、コード画像１２４を撮影することで、自動的に割引機ＩＤを入力することが可能となる。あるいは割引書込機１１０のメモリ１１２内に記憶されている割引機ＩＤが、そのまま自動的に入力されてもよい。
【００７７】
申請内容の入力が完了すると、申請ボタン１３６が選択される。これにより割引サービスの提携の申込みが完了する。なお申込み用Ｗｅｂページ１３０の左端には、駐車場選択ボタン１３２及び提携申請ボタン１３３の他に、情報編集、オーナ情報、帳票出力、メール通知、及びオペレータとの通話、の各ボタンが設置されている。店舗オーナは、これらのボタンを適宜選択することで、必要な情報の取得、種々の申込み、帳票の出力、メールの送受信等を実行することができる。
【００７８】
図５に戻り、提携の申込みが完了すると、申込みの対象となる駐車場のオーナのオーナ端末１０に、申請の申込みがあった旨の申請メールが送信される（ステップ１０６）。例えばメールの本文中にＵＲＬが記載されており、当該ＵＲＬをオーナが選択すると、駐車場管理装置４０内のＷｅｂサーバが作成したオーナ用のＷｅｂページに接続される。
【００７９】
図８は、オーナ端末１０に表示される申込み確認画面の一例である。申込み確認画面１４０には、提携の申し込み時に店舗オーナが入力した情報が表示される。複数の店舗から申込みがある場合には、店舗タブ１４１を選択することで、各々の店舗情報を確認することができる。確認後、承認ボタン１４２が選択されると、提携の申込みが承認され、提携が結ばれる（ステップ１０７）。なお申込みを承認するか否かの判断が、本駐車サービスの提供者に委託されていてもよい。その場合、申込みを承認した旨の報告メールが送信される。
【００８０】
なお申込み確認画面１４０内の月次割引額は、提携が決定した後の、店舗にて割引した割引額、すなわち負担額を表示する項目である。例えば申込み確認画面１４０の左端にある、提携店舗登録ボタン１４３を選択すると、提携先の店舗の情報として、申込み確認画面１４０とほぼ同じ構成の画面が表示される。その画面内には、毎月の負担額が月次割引額として表示される。
【００８１】
その他、オーナは、在車情報、経営分析、帳票出力、メール通知、及びオペレータとの通話、の各ボタンを適宜選択することで、必要な情報の取得、帳票の出力、メールの送受信等を実行することができる。
【００８２】
提携が決定すると、店舗から見て提携先となった駐車場を識別する駐車場ＩＤと、駐車場から見て提携先となった店舗に設置された割引書込機１１０の割引機ＩＤとが、関連付けられてＤＢ４２に記憶される。駐車場ＩＤは、駐車場情報ＤＢ４４内の駐車場情報に含まれる情報であり、本実施形態において第１の識別情報に該当する。なお店舗情報ＤＢ４７には、割引書込機の購入時、及び提携申込み時に入力された店舗情報が記憶される。
【００８３】
駐車場管理装置４０により、割引機ＩＤに関連付けられた提携先の駐車場の駐車場ＩＤが、店舗端末１００を介して割引書込機１１０に送信される（ステップ１０８）。送信された駐車場ＩＤは、割引書込機１１０のメモリ１１２に記憶される。また駐車場管理装置４０により、駐車場ＩＤに関連付けられた割引機ＩＤが、出口精算機７０に送信される（ステップ１０９）。送信された割引機ＩＤは、出口精算機７０のメモリ７２に記憶される。なお当然のことながら割引機ＩＤは提携先となった駐車場のみ送信される。
【００８４】
駐車場管理装置４０により、提携が決定した旨がオーナ端末１０にメールで送信される（ステップ１１０）。
【００８５】
次に駐車場及び店舗の利用者が割引サービスを利用する場合の動作を説明する。なお店舗及び駐車場の間で割引サービスの提携が結ばれている旨は、駐車場や店舗の看板、各Ｗｅｂサイト等により公開されており、利用者に十分に告知されているものとする。
【００８６】
図９は、駐車券発行機５０から発行される駐車券に記録される情報の一例である。本実施形態では、駐車場を利用する利用者により操作釦５８が押されると、カードリーダライタ５５により、券種別（本実施形態では駐車券）、駐車場ＩＤ、発券機ナンバー、券ナンバー、入場時の（駐車券を発行する）年月日時、割引回数、及びステータス情報が記録される。このうち割引回数は０回、ステータス情報は精算前である旨が記録される。
【００８７】
図１０は、店舗にて駐車券に割引情報が記録される動作例を示すフローチャートである。図１１は、駐車券に記録される割引情報の一例である。
【００８８】
利用者は、店舗にて買物や飲食等を行った後、店舗の係員に対してレジにて代金の支払いと当時に、駐車券を提示する。割引書込機１１０は、駐車券の挿入を待機しており（ステップ２０１）、駐車券が挿入されると駐車券の磁気ストライプに記録された駐車券情報が読み込まれる（ステップ２０２）。
【００８９】
読み込まれた駐車券情報内の駐車場ＩＤが、メモリに記録された提携先の駐車場ＩＤと一致するか否か判定される（ステップ２０３）。
【００９０】
駐車場ＩＤが一致しない場合には（ステップ２０３のＮｏ）、エラーが出力される（ステップ２０４）。具体的には、スピーカからエラー時のビープ音が出力され、状態表示ランプ１２２によりエラー状態が表示される。提携を結んでいない駐車券等が提示された場合等においてエラーが出力された場合には、店舗の係員によりその旨が説明されてもよい。
【００９１】
駐車場ＩＤが一致する場合には、店舗の係員により、サービスの利用に応じた割引額の割引ボタン１２３が押下される（ステップ２０５）。これにより駐車券に割引情報が書き込まれる（ステップ２０６）。なお割引ボタン１２３が押されない間は、待機状態となる。
【００９２】
このように本実施形態では、割引書込機１１０により、駐車場管理装置４０から送信された駐車場ＩＤをもとに、受け付けた駐車券が提携先となった駐車場の駐車券か否か判定される。なお複数の駐車場と提携を結んでいる場合には、各駐車場の駐車場ＩＤがメモリに記録されている。そしてそれらの駐車場ＩＤのいずれかと一致するか否かが判定される。
【００９３】
図１１に示すように、割引情報として、割引機ＩＤ、割引情報を入力した年月日時、割引種別、割引額／時間の情報が記録される。例えば提携先の店舗にて何度も買い物をする場合には、そのつど割引情報が入力される。すなわち割引情報の入力は複数回可能であり、割引情報が入力されるたびに割引回数が１ずつ増加され、各割引情報が順に入力される。
【００９４】
駐車券に入力された割引情報は、店舗端末１００に送信され記録される（ステップ２０７）。また駐車場管理装置４０に送信されて、ＤＢ４２に記憶されてもよい。例えば駐車場管理装置４０に送信された割引情報は、駐車場のオーナにメールで送信される。あるいはオーナ用のＷｅｂページに割引情報が反映されてもよい。一方で、これらの情報は精算前の情報であり、割引額が確定しているわけではないので、単にバックアップとして保存されるだけでもよい。
【００９５】
割引情報の送信／記録が完了すると、割引書込機１１０の挿入口１２０から駐車券が排出される（ステップ２０８）。
【００９６】
図１２は、駐車場から車両を出庫する際の動作例を示すフローチャートである。例えば利用者は出口ゲート３４に隣接して設置された出口精算機７０の前まで車両を進ませる。車両の接近は地面に埋設されたループコイル等により検出され、出口精算機７０は駐車券の挿入を待機する状態となる（ステップ３０１）。
【００９７】
駐車券が挿入されると駐車券の磁気ストライプに記録された駐車券情報及び割引情報が読み込まれる（ステップ３０２）。読み込まれた割引情報内の割引機ＩＤが、メモリ７２に記録された提携先の割引機ＩＤと一致するか否か判定される（ステップ３０３）。
【００９８】
すなわち本実施形態では、駐車場管理装置４０から送信された割引機ＩＤをもとに、駐車場の利用者から提示された駐車券に記憶された割引情報が、提携先となった店舗にて記録された割引情報であるか否かが判定される。
【００９９】
割引機ＩＤが一致しない場合には（ステップ３０３のＮｏ）、エラーが出力される（ステップ３０４）。例えば表示器／スピーカ７７により、入力された割引情報が提携先の店舗にて記録されたものではないので割引ができない旨が報知される。割引機ＩＤが一致しない場合と、割引情報の記録が無い場合には、駐車券に記録された入場時の年月日時と、現在時刻から駐車時間を算出し、料金体系のプログラムに応じて駐車料金が算出される（ステップ３０５）。もっとも、駐車場ＩＤと割引機ＩＤが一致しないで駐車券に割引情報が記録されることは、前述の図１０のフローからも通常は有り得ないが、磁気データを改ざんするような不正行為に対するダブルチェックの効果がある。
【０１００】
割引機ＩＤが一致する場合には、割引情報をもとに、駐車料金が算出される（ステップ３０５）。具体的には、駐車時間をもとに算出された料金から、割引情報として記録された割引額の合計が減算される。駐車時間をもとに算出された料金よりも割引額が大きい場合には、駐車料金は０円（無料）となる。
【０１０１】
ステップ３０５にて算出された駐車料金は、表示器／スピーカ７７により出力される（ステップ３０６）。利用者が駐車料金を支払った場合、あるいは割引により駐車料金が０円となる場合には、精算完了となり出口ゲートが制御される（ステップ３０７のＹｅｓからステップ３０８）。例えば出口ゲートが開けられ、車両の出庫が検出されると出口ゲートが閉められる。
【０１０２】
出口精算機７０から駐車場管理装置４０へ、割り引いた額の情報である割引結果が送信される（ステップ３０９）。駐車時間をもとに算出された料金よりも割引額が大きく、駐車料金が０円となった場合には、割引結果として駐車時間をもとに算出された料金が送信される（例えば駐車料金４００円、割引額５００の場合は割引結果は４００円となる）。
【０１０３】
駐車場管理装置４０に送信された割引結果は、メール等により店舗端末１００及びオーナ端末１０に送信される。あるいは店舗用のＷｅｂページ及びオーナ用のＷｅｂページに反映される。これにより店舗オーナや駐車場のオーナは、現時点までの負担額（割引額）や店舗及び駐車場の利用状況等を把握することができる。
【０１０４】
上記したように月次の負担額は、クレジットカード決済により自動的に決済される。例えば決済日の前に、店舗端末１００に記憶されている月次の負担額と、駐車場管理装置４０のＤＢ４２に記憶されている月次の負担額の整合性が確認可能であってもよい。これにより他の店舗等における不正行為を防止することができる。
【０１０５】
例えば他の店舗の割引機ＩＤを駐車券から読み出し、自身の店舗の割引書込機ＩＤの書込みデータを改ざんして、他の店舗になりすます等の不正行為が考えられる。この場合、割引額の決済は他の店舗にて行われることとなり、不正に利益を上げることが可能となってしまう。このような不正行為を十分に防止することが可能となる。なお現金決済や銀行振り込み等の、他の決済方法への変更も可能である。
【０１０６】
以上、本実施形態に係る駐車サービスシステム５００では、店舗等のオーナが、駐車料金の割引サービスの提携可能な駐車場を簡単に見つけることが可能となる。また駐車場のオーナに直接提携を申し込むことなく、申込み用Ｗｅｂページ１３０を介して必要な情報を入力するだけで、簡単に割引サービスの提携を結ぶことが可能となる。この結果、店舗の利用者に対して、駐車料金の割引サービスを提供することが容易に実現可能となる。
【０１０７】
またサービスの利用に応じてどの程度の割引額を設定するか等の店舗側のサービス条件を、柔軟に設定して提携を申込みことが可能であり、サービス条件の変更も容易である。
【０１０８】
＜第２の実施形態＞
本発明の第２の実施形態に係る駐車サービスシステムについて説明する。これ以降の説明では、上記の実施形態で説明した駐車サービスシステム５００における構成及び作用と同様な部分については、その説明を省略又は簡略化する。
【０１０９】
上記の実施形態では、割引書込機１１０を取得した後に、提携の申込みが行われた。これに代えて、最初に提携の申込みが行われ、提携が決定した後に店舗等に割引書込機１１０が送付されてもよい。例えば駐車管理装置４０のＷｅｂサーバが作成した申込み用のＷｅｂページとして、住所等を含む店舗情報を入力可能な画面が表示される。店舗オーナにより必要な情報が入力されると、図６に示すような選択画面１３１が表示され、提携先の駐車場が選択可能となる。
【０１１０】
提携の申込みがあった旨がオーナ端末にメールで送信され、提携が結ばれた場合には、店舗に割引書込機１１０が送付される。その際には、割引書込機の割引機ＩＤと、提携先の駐車場の駐車場ＩＤとは、割引書込機１１０の送付に先だって関連付けられる。また割引書込機１１０のメモリ１１２には、予めに提携先の駐車場の駐車場ＩＤが記憶される。すなわち本実施形態では、店舗端末１００から駐車場管理装置４０への割引機ＩＤの送信、及び駐車場管理装置４０から出口精算機７０への駐車場ＩＤの送信が省略可能である。
【０１１１】
＜第３の実施形態＞
図１３は、第３の実施形態に係る駐車サービスシステムの構成例を示す概略図である。本駐車サービスシステム６００では、駐車券に割引情報が記録されず、各店舗に配置される駐車券受付装置６２０により駐車場管理装置４０に割引情報が送信される。すなわち駐車券受付装置６２０により、提携先となった駐車場の駐車券から駐車場ＩＤと、駐車券を識別する券ナンバー（第３の識別情報）が読み出される。これらの識別情報と、サービスの利用に応じた割引情報とが、駐車場管理装置４０に送信される。
【０１１２】
従って駐車券受付装置６２０としては、駐車場管理装置４０と常時通信可能であり割引情報を送信可能である機能、及び駐車券から情報を読み込む機能が備えられていればよい。すなわち駐車券に情報を書き込む機能が不要であるので、簡単なカードリーダ等を使用することが可能であり、コストを十分に抑えることが可能である。また駐車券として、情報の書き込みが不可能なものが使用可能であり、例えば磁気ストライプを持たずにバーコード等が付されているのみのカードが使用可能である。
【０１１３】
図１３に示す例では、店舗Ａ及び店舗Ｂでは、割引端末（書込み機能が無い端末）６３０と、駐車場管理装置４０に接続された店舗端末６４０（ノートＰＣ、タブレット端末）とにより、駐車券受付装置６２０が構成されている。一方で店舗Ｃでは、駐車場管理装置４０に接続された割引端末６３０が、駐車券受付装置６２０として用いられている。
【０１１４】
なお店舗Ｃでは、駐車券受付装置６２０とは別のＰＣ等により、提携の申込み等が実行される。例えば店舗オーナの家等に配置されたＰＣ等により、割引サービスの提携の申込みが入力される。この場合、当該ＰＣ等が、申込み用Ｗｅｂページを表示する他の端末に相当する。なお駐車券受付装置として店舗端末が用いられる場合でも、他のＰＣ等により、割引サービスの提携が申し込まれてもよい。すなわち店舗端末が、必ずしも他の端末として機能する場合に限定されない。
【０１１５】
駐車券受付装置６２０から駐車場管理装置４０に送信された駐車場ＩＤ、券ナンバー、及び割引情報は、駐車場ＩＤに関連付けられた割引端末６３０のＩＤとともに、駐車場に設置された出口精算機７０に送信される。そして出口精算機７０により、挿入された駐車券から券ナンバーが読み取られ、券ナンバーに関連付けられた割引情報をもとに駐車料金が算出される。なお車両が駐車場に入庫した年月日時は、駐車券発行機５０から券ナンバーと合わせて、駐車場管理装置４０又は出口精算機７０に送信される。
【０１１６】
以上本実施形態では、駐車券に割引情報等が記録されず、インターネット１等に常時接続されている駐車場管理装置４０により、各駐車券を持って買い物をする利用客に関する割引情報が管理される。これにより割引情報の改ざんやなりすまし等を十分に防止することが可能となる。
【０１１７】
＜その他の実施形態＞
本発明は、以上説明した実施形態に限定されず、他の種々の実施形態で実現することができる。
【０１１８】
例えば店舗内等に設置された精算機により、事前精算が実行されてもよい。図１４に示すように、事前精算が実行された駐車券には、精算後である旨のステータス情報と精算額とが記憶される。また所持する金額が足らなかった場合や事前精算後に再び買い物をした場合等において、未精算残額の情報が記録されてもよい。未精算残額が０円の場合は、精算済みの駐車券が出口精算機７０に挿入されることで、出口ゲートが開けられる。未精算残額がある場合には、出口精算機７０でその分が精算される。
【０１１９】
ＰＣやタブレット端末と割引書込機とが一体となった装置が、本発明に係る駐車券受付装置として用いられてもよい（割引端末についても同様）。
【０１２０】
本発明が適用可能な駐車場の構成は全く限定されない。駐車券発行機５０及び出口精算機７０の２つの駐車場装置３０が設置される場合のみならず、例えば駐車場装置３０として精算機が１つ設置される構成でもよい。またゲート式駐車場にも限定されず、個別ロック式（フラップ式）駐車場や立体式（機械式）駐車場等にも、本発明は適用可能である。
【０１２１】
駐車券の構成、駐車券への情報の書き込み、又は駐車券から情報を読み込むための構成は限定されず、例えば非接触式のＩＣカード等が駐車券として用いられてもよい。
【０１２２】
本開示では、駐車車両は、自動車に限定されず、自転車や二輪車（バイク）等も含む。すなわち上記で説明した駐車場は、自転車等を駐車するための駐輪場を含む概念である。
【０１２３】
以上説明した本発明に係る特徴部分のうち、少なくとも２つの特徴部分を組み合わせることも可能である。すなわち各実施形態で説明した種々の特徴部分は、各実施形態の区別なく、任意に組み合わされてもよい。また上記で記載した種々の効果は、あくまで例示であって限定されるものではなく、また他の効果が発揮されてもよい。
【０１２４】
また本発明は、請求の範囲及び明細書全体から読み取ることのできる発明の要旨又は思想に反しない範囲で適宜変更可能であり、そのような変更を伴う駐車場サービスシステムもまた本発明の技術思想に含まれる。
【産業上の利用可能性】
【０１２５】
本発明の技術は、駐車場がゲート式駐車場か個別ロック式（ フラップ式）駐車場か立体式駐車場かに拘らず、また、駐車車両が、自動車、又は、自転車や二輪車（バイク）かに拘らず、店舗と提携した駐車場の登録が容易にできる駐車場サービスシステムに好適に利用することができる。
【符号の説明】
【０１２６】
２０、６２０…駐車券受付装置
３０…駐車場装置
３１…駐車場
４０…駐車場管理装置
４１…サーバ装置
４２…データベース（ＤＢ）
５０…駐車券発行機
７０…出口精算機
１００、６４０…店舗端末
１１０…割引書込機
１２４…コード画像
１３０…申込み用Ｗｅｂページ
１３１…選択画面
５００、６００…駐車サービスシステム
６３０…割引端末
【図１】
0006608214.tif 000002
【図２】
0006608214.tif 000003
【図３】
0006608214.tif 000004
【図４】
0006608214.tif 000005
【図５】
0006608214.tif 000006
【図６】
0006608214.tif 000007
【図７】
0006608214.tif 000008
【図８】
0006608214.tif 000009
【図９】
0006608214.tif 000010
【図１０】
0006608214.tif 000011
【図１１】
0006608214.tif 000012
【図１２】
0006608214.tif 000013
【図１３】
0006608214.tif 000014
【図１４】
0006608214.tif 000015